(57)【要約】【課題】磁器板や陶器板を壁パネルに用いた場合にも、コストの増加を抑えつつ、適切に壁パネルと天井パネルとを接続可能な浴室ユニットを提供する。【解決手段】磁器又は陶器からなる表面パネルと、表面パネルの裏面に設けられた弾性を有する基板と、基板の裏面に設けられた金属製のフレームと、を有する壁パネルと、壁パネルの上に取り付けられる天井パネルであって、被嵌合部を有する外周部と、外周部よりも内方に設けられ、壁パネルの上端よりも下方に位置する天面部と、を有する天井パネルと、フレームの上部に取り付けられ、壁パネルの上端よりも上方に突出した突出部を有する取付部材と、保持部材によって突出部に保持され、被嵌合部と嵌合する嵌合部を有し、被嵌合部と嵌合部との嵌合によって天井パネルを壁パネルの上に取り付ける接続部材と、を備えたことを特徴とする浴室ユニットである。【選択図】図１
2018162581.tif 000002
【特許請求の範囲】
【請求項１】
磁器又は陶器からなる表面パネルと、前記表面パネルの裏面に設けられた弾性を有する基板と、前記基板の裏面に設けられた金属製のフレームと、を有する壁パネルと、
前記壁パネルの上に取り付けられる天井パネルであって、前記壁パネルへの取り付けに用いられる被嵌合部を有する外周部と、前記外周部よりも内方に設けられ、前記壁パネルの上に取り付けられた状態において前記壁パネルの上端よりも下方に位置する天面部と、を有する天井パネルと、
前記フレームの上部に取り付けられ、前記壁パネルの上端よりも上方に突出した突出部を有する取付部材と、
保持部材によって前記突出部に保持され、前記被嵌合部と嵌合する嵌合部を有し、前記被嵌合部と前記嵌合部との嵌合によって前記壁パネルと前記天井パネルとを接続することにより、前記天井パネルを前記壁パネルの上に取り付ける接続部材と、
を備えたことを特徴とする浴室ユニット。
【請求項２】
前記取付部材は、前記壁パネルの表面に対して垂直な方向の位置を調整可能に前記フレームの上部に取り付けられることを特徴とする請求項１記載の浴室ユニット。
【請求項３】
前記接続部材は、前記天井パネルに接触して弾性変形することにより、前記天井パネルと前記壁パネルとの間に空く隙間を塞ぐ軟質部を有することを特徴とする請求項１又は２に記載の浴室ユニット。
【発明の詳細な説明】
【技術分野】
【０００１】
本発明の態様は、一般的に、浴室ユニットに関する。
【背景技術】
【０００２】
壁パネルの上端部に設けられた壁側接続部材と、天井パネルの外周に設けられた天井側接続部材と、を接続することにより、天井パネルを壁パネルに取り付ける浴室ユニットが知られている（例えば、特許文献１）。
【０００３】
より具体的には、天井側接続部材は、下方を向く嵌合溝を有し、壁側接続部材は、嵌合溝に対応して上方に突出した嵌合突起を有する。天井パネルは、嵌合溝を壁側接続部材の嵌合突起に嵌合させることにより、壁パネルの上に取り付けられる。
【０００４】
また、壁側接続部材は、水密性を確保するための軟質部を有している。これにより、嵌合突起や軟質部に劣化や破損などが生じた際に、壁側接続部材のみを交換することで、水密性などを容易に回復することができる。また、天井パネルの表面は、壁側接続部材よりも下方に位置している。これにより、壁側接続部材や天井側接続部材などが室内側から視認し難くなり、浴室ユニットの意匠性を向上させることができる。
【０００５】
このような浴室ユニットにおいて、室内の意匠性をより向上させるため、壁パネルに磁器板や陶器板を用いることが考えられている。しかしながら、磁器板や陶器板は、割れ易いため、ネジなどを用いて壁側接続部材を壁パネルに取り付けることができなくなってしまう。このため、浴室ユニットでは、磁器板や陶器板を壁パネルに用いた場合にも、適切に壁パネルと天井パネルとを接続できるようにすることが望まれる。
【０００６】
一方で、磁器板や陶器板を用いた壁パネルでは、磁器板や陶器板の割れを抑制するための弾性を有する基板と、強度を確保するための金属フレームと、を磁器板や陶器板の裏側に設ける必要がある。このため、磁器板や陶器板を用いた壁パネルでは、樹脂などを用いた壁パネルなどと比べて、材料コストが高い。このため、浴室ユニットでは、磁器板や陶器板を壁パネルに用いた場合の、コストの増加を抑えることも望まれている。
【０００７】
例えば、壁側接続部材を接着剤などを用いて磁器板や陶器板を用いた壁パネルの上部に接着することも考えられるが、この場合には、接着によって壁側接続部材の内側に隠れてしまう部分などにも、磁器板や陶器板を用いる必要があり、磁器板や陶器板を用いた場合のコストの増加を抑えることが難しい。
【０００８】
また、壁側接続部材を壁パネルに接着する構成では、ネジ止めする構成などと比べて、接合の強度が低く、外力が加わった際などに、壁側接続部材が壁パネルから意図せず外れてしまう可能性がある。さらに、ネジ止めする構成では、ネジ止めし忘れた際にネジが余るため、作業ミスに気付かせ易いが、壁側接続部材を壁パネルに接着する構成では、施工時に作業者が接着し忘れてしまった際に、気付かずに作業を終えてしまうことも懸念される。
【０００９】
このため、浴室ユニットでは、磁器板や陶器板を壁パネルに用いた場合にも、コストの増加を抑えつつ、適切に壁パネルと天井パネルとを接続できるようにすることが望まれる。
【先行技術文献】
【特許文献】
【００１０】
【特許文献１】特開２００９−６２７６６号公報
【発明の概要】
【発明が解決しようとする課題】
【００１１】
本発明は、かかる課題の認識に基づいてなされたものであり、磁器板や陶器板を壁パネルに用いた場合にも、コストの増加を抑えつつ、適切に壁パネルと天井パネルとを接続可能な浴室ユニットを提供することを目的とする。
【課題を解決するための手段】
【００１２】
第１の発明は、磁器又は陶器からなる表面パネルと、前記表面パネルの裏面に設けられた弾性を有する基板と、前記基板の裏面に設けられた金属製のフレームと、を有する壁パネルと、前記壁パネルの上に取り付けられる天井パネルであって、前記壁パネルへの取り付けに用いられる被嵌合部を有する外周部と、前記外周部よりも内方に設けられ、前記壁パネルの上に取り付けられた状態において前記壁パネルの上端よりも下方に位置する天面部と、を有する天井パネルと、前記フレームの上部に取り付けられ、前記壁パネルの上端よりも上方に突出した突出部を有する取付部材と、保持部材によって前記突出部に保持され、前記被嵌合部と嵌合する嵌合部を有し、前記被嵌合部と前記嵌合部との嵌合によって前記壁パネルと前記天井パネルとを接続することにより、前記天井パネルを前記壁パネルの上に取り付ける接続部材と、を備えたことを特徴とする浴室ユニットである。
【００１３】
この浴室ユニットによれば、金属製のフレームに取り付けられている取付部材に、接続部材を保持している。これにより、磁器又は陶器からなる表面パネルに割れなどを生じさせることなく、ネジなどの保持部材を用いて接続部材を強固に取付部材に保持することができる。また、保持部材を用いることにより、保持部材を取り付け忘れた際に、保持部材が余るため、作業ミスに気付かせ易くすることもできる。また、壁パネルの上端よりも上方に突出した突出部に、接続部材を保持している。これにより、壁パネルを天井パネルの外周部近傍まで設ける必要がなくなる。例えば、壁パネルの上部に接続部材を直接取り付ける構成などと比べて、天井パネルによって見えなくなってしまう部分の壁パネルを削減するように、壁パネルの上下方向の長さを短くすることができる。これにより、壁パネルに磁器又は陶器からなる表面パネルを用いた場合にも、コストを抑えることができる。従って、磁器板や陶器板を壁パネルに用いた場合にも、コストの増加を抑えつつ、適切に壁パネルと天井パネルとを接続可能な浴室ユニットを提供することができる。
【００１４】
第２の発明は、第１の発明において、前記取付部材は、前記壁パネルの表面に対して垂直な方向の位置を調整可能に前記フレームの上部に取り付けられることを特徴とする浴室ユニットである。
【００１５】
この浴室ユニットによれば、寸法誤差などによって壁パネルの厚さが変化した場合などにおいても、壁パネルと天井パネルとの位置関係を維持したまま、取付部材の位置のみを調整することで、接続部材に設けられた嵌合部と天井パネルの外周部に設けられた被嵌合部とを嵌合させることができ、壁パネルと天井パネルとをより接続し易くすることができる。例えば、２枚の壁パネルを並べて配置する場合などにおいても、取付部材の位置を調整することで、２枚の壁パネルの表面と天井パネルの外周部との位置を合わせ易くすることができる。従って、より適切に壁パネルと天井パネルとを接続することができる。また、取付部材の位置のみを調整すればよく、重い壁パネル自体の位置を調整する必要がないため、施工作業性を向上させることもできる。
【００１６】
第３の発明は、第１又は第２の発明において、前記接続部材は、前記天井パネルに接触して弾性変形することにより、前記天井パネルと前記壁パネルとの間に空く隙間を塞ぐ軟質部を有することを特徴とする浴室ユニットである。
【００１７】
この浴室ユニットによれば、壁パネルと天井パネルとの間の水密性をより向上させることができる。また、接続部材に軟質部を設けることにより、軟質部に劣化や破損などが生じた際に、接続部材のみを交換することで、水密性などを容易に回復することができる。
【発明の効果】
【００１８】
本発明の態様によれば、磁器板や陶器板を壁パネルに用いた場合にも、コストの増加を抑えつつ、適切に壁パネルと天井パネルとを接続可能な浴室ユニットが提供される。
【図面の簡単な説明】
【００１９】
【図１】実施形態に係る浴室ユニットを模式的に表す斜視図である。
【図２】実施形態に係る浴室ユニットの一部を模式的に表す斜視図である。
【図３】実施形態に係る浴室ユニットの一部を模式的に表す斜視図である。
【図４】実施形態に係る浴室ユニットの一部を模式的に表す斜視図である。
【図５】実施形態に係る浴室ユニットの一部を模式的に表す断面図である。
【図６】実施形態に係る浴室ユニットの一部を模式的に表す側面図である。
【図７】実施形態に係る浴室ユニットの一部を模式的に表す斜視図である。
【発明を実施するための形態】
【００２０】
以下、実施形態について図面を参照しつつ説明する。なお、各図面中、同様の構成要素には同一の符号を付して詳細な説明は適宜省略する。  
図１は、実施形態に係る浴室ユニットを模式的に表す斜視図である。  
図１に表したように、浴室ユニット１０は、浴槽１２と、洗い場床１４と、複数の壁パネル２１〜２５と、複数の天井パネル３１、３２と、を備える。
【００２１】
洗い場床１４は、浴槽１２に隣接して設けられる。各壁パネル２１〜２５は、浴槽１２及び洗い場床１４の周囲を囲む。各天井パネル３１は、各壁パネル２１〜２５の上に取り付けられる。これにより、浴室ユニット１０は、上下及び四方を囲んだ浴室空間を形成する。このように、浴室ユニット１０は、浴槽１２、洗い場床１４、各壁パネル２１〜２５、及び各天井パネル３１、３２などをユニット化した、いわゆるユニットバスやシステムバスである。
【００２２】
なお、図１では、便宜的に、いくつかの壁パネル及び浴室ユニット１０（浴室空間）内に入退室するための扉部材などの図示を省略している。浴室空間を上方から見た形状は、例えば、矩形状である。この例では、浴室空間の１つの面に対して、２つの壁パネルを用いている。従って、図１では、便宜的に５つの壁パネル２１〜２５のみを図示しているが、実際には、８つの壁パネルが設けられる。あるいは、７つの壁パネルと、１つの扉部材と、が設けられる。浴室空間の１つの面は、１つの壁パネルで構成してもよいし、３つ以上の壁パネルで構成してもよい。また、この例では、２つの天井パネル３１、３２で浴室空間の天井を形成している。換言すれば、２つの天井パネル３１、３２で各壁パネル２１〜２５の上方を塞いでいる。浴室空間の天井は、１つの天井パネルで構成してもよいし、３つ以上の天井パネルで構成してもよい。
【００２３】
図２は、実施形態に係る浴室ユニットの一部を模式的に表す斜視図である。  
図３は、実施形態に係る浴室ユニットの一部を模式的に表す斜視図である。  
図４は、実施形態に係る浴室ユニットの一部を模式的に表す斜視図である。  
図５は、実施形態に係る浴室ユニットの一部を模式的に表す断面図である。  
図６は、実施形態に係る浴室ユニットの一部を模式的に表す側面図である。  
図２〜図６に表したように、壁パネル２１は、表面パネル４０と、基板４２と、フレーム４４と、を有する。
【００２４】
表面パネル４０は、磁器又は陶器からなる。表面パネル４０は、例えば、略矩形の平板状である。表面パネル４０は、壁パネル２１の表面２１ａを形成する。すなわち、表面パネル４０は、壁パネル２１において浴室空間側を向いて露出する面を形成する。このように、磁器又は陶器からなる表面パネル４０を用いることにより、樹脂製の壁パネルのみを用いる場合などと比べて、浴室空間の意匠性を向上させることができる。
【００２５】
基板４２は、表面パネル４０の裏面に設けられる。基板４２は、例えば、表面パネル４０と実質的に同じ大きさの略矩形の平板状である。基板４２は、例えば、表面パネル４０の裏面の略全体に設けられる。基板４２は、例えば、接着剤によって表面パネル４０の裏面に接着される。
【００２６】
基板４２は、弾性を有する。基板４２は、例えば、表面パネル４０の裏面を支持し、衝撃などから表面パネル４０を保護する。基板４２は、例えば、表面パネル４０に対して衝撃が加えられた際に、その衝撃を吸収することにより、磁器又は陶器からなる表面パネル４０の割れなどを抑制する。基板４２には、例えば、繊維を混入させたセメント基板やガラスマット（ガラス繊維をフェルト状に加工したもの）などが用いられる。
【００２７】
フレーム４４は、基板４２の裏面に設けられる。フレーム４４は、例えば、基板４２の裏面の外縁に沿う枠状の部分と、枠状の部分の内側を仕切る部分と、を有する（図４参照）。このように、フレーム４４は、例えば、枠状あるいは格子状に形成される。フレーム４４は、例えば、接着剤によって基板４２の裏面に接着される。フレーム４４は、金属製である。フレーム４４には、例えば、鉄、ステンレス、アルミニウムなどの金属材料が用いられる。これにより、フレーム４４は、表面パネル４０及び基板４２を補強する。また、フレーム４４は、例えば、同一面上で隣接する２つの壁パネル２１、２２の接続に用いられる。
【００２８】
同一面上で壁パネル２１と隣接する壁パネル２２の構成は、壁パネル２１の構成と実質的に同じである。壁パネル２２は、壁パネル２１と同様に、表面パネル４０と基板４２とフレーム４４とを有する。これにより、浴室空間の１つの面を２つの壁パネル２１、２２で構成する場合にも、浴室空間の意匠性を向上させることができる。
【００２９】
一方、その他の壁パネル２３〜２５の構成は、壁パネル２１、２２の構成と異なる。壁パネル２３〜２５には、例えば、樹脂材料が用いられる。壁パネル２３〜２５は、例えば、樹脂材料からなる略矩形の平板状である。
【００３０】
壁パネル２１、２２は、例えば、浴槽１２の側方の壁面に配置される。換言すれば、壁パネル２１、２２は、水栓やシャワーなどが設置される壁面に配置される。これにより、水栓やシャワーなどを利用する使用者から見た時の意匠性を向上させることができる。また、扉部材は、壁パネル２１、２２と対向する位置に配置される。これにより、扉部材を介して外側から浴室空間内を見た時の浴室空間の意匠性を向上させることができる。
【００３１】
磁器又は陶器からなる表面パネル４０を含む壁パネル２１、２２は、樹脂製の壁パネル２３〜２５などと比べて材料コストが高い。従って、使用者などに視認され易い壁面に壁パネル２１、２２を用い、その他の壁面に樹脂製の壁パネル２３〜２５を用いることにより、浴室空間の意匠性を向上させつつ、浴室ユニット１０のコストを抑えることができる。但し、浴室ユニット１０は、全ての壁面に壁パネル２１、２２と同じ構成の壁パネルを用いてもよい。
【００３２】
天井パネル３１は、外周部５０と、天面部５２と、を有する。なお、天井パネル３２の構成は、天井パネル３１の構成と実質的に同じであるから、詳細な説明は、省略する。
【００３３】
外周部５０は、壁パネル２１への取り付けに用いられる被嵌合部５４を有する。天面部５２は、外周部５０よりも内方に設けられ、壁パネル２１の上に取り付けられた状態において、壁パネル２１の上端２１ｕよりも下方に位置する（図５参照）。天面部５２は、浴室空間の天井面となる底面５２ａを有する。天面部５２は、壁パネル２１の上に取り付けられた状態において、底面５２ａを壁パネル２１の上端２１ｕよりも下方に配置する。
【００３４】
外周部５０は、天面部５２の外縁に取り付けられ、接着剤やネジなどによって天面部５２に保持される。外周部５０は、例えば、「天井廻し縁」と呼ばれる場合もある。外周部５０は、弾性を有する。外周部５０には、例えば、樹脂材料が用いられる。
【００３５】
また、浴室ユニット１０は、取付部材６０と、接続部材７０と、をさらに備える。取付部材６０は、フレーム４４の上部に取り付けられる。取付部材６０は、例えば、フレーム４４の上端４４ａに取り付けられる。取付部材６０は、例えば、フレーム４４の上部の裏面（表面２１ａと反対側を向く面）に取り付けてもよい。取付部材６０は、壁パネル２１の上端２１ｕよりも上方に突出した突出部６２を有する。取付部材６０は、例えば、フレーム４４の上部に取り付けられた状態において、突出部６２を表面パネル４０の上方に配置する。
【００３６】
接続部材７０は、保持部材７２によって突出部６２に保持される（図５参照）。接続部材７０は、天井パネル３１の外周部５０に設けられた被嵌合部５４と嵌合する嵌合部７４を有する。接続部材７０は、被嵌合部５４と嵌合部７４との嵌合によって壁パネル２１と天井パネル３１とを接続することにより、天井パネル３１を壁パネル２１の上に取り付ける。
【００３７】
この例では、被嵌合部５４が、下方に開口する嵌合溝状であり、嵌合部７４が、上方に突出する嵌合突起状である。これとは反対に、この例では、被嵌合部５４を、下方に突出する嵌合突起状とし、嵌合部７４を、上方に開口する嵌合溝状としてもよい。
【００３８】
図２に表したように、２つの壁パネル２１、２２が並べて設けられる場合、取付部材６０は、各壁パネル２１、２２のそれぞれに設けられる。すなわち、浴室ユニット１０は、各壁パネル２１、２２のそれぞれに対応する２つの取付部材６０を有する。一方、接続部材７０は、各壁パネル２１、２２のそれぞれに対して、１つの接続部材７０が取り付けられる。これに限ることなく、接続部材７０は、各壁パネル２１、２２のそれぞれに設けてもよい。浴室ユニット１０は、各壁パネル２１、２２のそれぞれに対応する２つの接続部材７０を有してもよい。反対に、取付部材６０は、各壁パネル２１、２２のそれぞれに対して、１つの取付部材６０を取り付けてもよい。
【００３９】
接続部材７０は、例えば、下方に開口する断面略Ｕ字状の部材である。接続部材７０は、弾性を有する。接続部材７０には、例えば、樹脂材料が用いられる。接続部材７０は、突出部６２の上に被せるようにして取り付けられる。接続部材７０は、例えば、「壁押さえ縁」と呼ばれる場合もある。
【００４０】
突出部６２の形状は、例えば、その他の壁パネル２３〜２５の上端部の形状に対応している。また、突出部６２の上端６２ｕの高さは、その他の壁パネル２３の上端２３ｕの高さと同程度に設定されている。突出部６２の上端６２ｕの高さと、その他の壁パネル２３の上端２３ｕの高さと、の差は、例えば、５ｍｍ以下である。すなわち、壁パネル２１、２２の上下方向の長さ（高さ）は、突出部６２の分だけ、その他の壁パネル２３〜２５の上下方向の長さよりも短い。これにより、磁器又は陶器を用いた壁パネル２１、２２と、その他の壁パネル２３〜２５とに、接続部材７０を共通に用いることができる。
【００４１】
突出部６２は、壁パネル２１の表面２１ａと同じ方向を向く前面６２ａを有する。前面６２ａは、換言すれば、壁パネル２１の表面２１ａと略平行な面である。保持部材７２は、接続部材７０を前面６２ａに保持する。保持部材７２は、例えば、ネジである。これにより、保持部材７２を取り外すことによって、接続部材７０を容易に交換することができる。保持部材７２は、例えば、着脱可能に突出部６２に取り付けられる。保持部材７２は、ネジに限ることなく、例えば、リベットや釘などでもよい。保持部材７２は、突出部６２に取り付けた後に、容易に取り外すことのできない部材でもよい。保持部材７２は、接続部材７０を突出部６２に保持可能な任意の部材でよい。
【００４２】
接続部材７０は、天井パネル３１に接触して弾性変形することにより、天井パネル３１と壁パネル２１との間に空く隙間を塞ぐ軟質部７６、７７を有する。この例では、接続部材７０が、上下方向に並べて設けられた２つの軟質部７６、７７を有している。接続部材７０に設けられる軟質部の数は、２つに限ることなく、１つでもよいし、３つ以上でもよい。
【００４３】
図７は、実施形態に係る浴室ユニットの一部を模式的に表す斜視図である。  
図５及び図７に表したように、取付部材６０は、壁パネル２１の表面２１ａ（突出部６２の前面６２ａ）に対して垂直な方向に延びる長孔６４を有する。取付部材６０は、長孔６４にネジ６６を挿通することにより、長孔６４を介してネジ６６によってフレーム４４の上端４４ａに取り付けられる。取付部材６０は、例えば、複数の長孔６４を有し、複数のネジ６６によってフレーム４４の上端４４ａに取り付けられる。
【００４４】
これにより、取付部材６０は、長孔６４に沿って移動させることにより、壁パネル２１の表面２１ａに対して垂直な方向の位置を調整することができる。このように、取付部材６０は、壁パネル２１の表面２１ａに対して垂直な方向の位置を調整可能にフレーム４４の上部に取り付けられる。取付部材６０の壁パネル２１の表面２１ａに対して垂直な方向の位置の調整方法は、上記に限ることなく、任意の方法でよい。
【００４５】
取付部材６０は、例えば、図５などに表したように、突出部６２の前面６２ａが壁パネル２１の表面２１ａと略面一になるように、位置を調整してフレーム４４の上部に取り付けられる。磁器又は陶器からなる表面パネル４０は、樹脂製の壁パネル２３〜２５などと比べて寸法管理が難しく、厚さなどが変化し易い。従って、上記のように取付部材６０の位置を調整することにより、表面パネル４０の厚さなどが変化した場合にも、壁パネル２１の表面２１ａの位置と、接続部材７０の位置と、天井パネル３１の外周部５０の位置と、を適切に合わせることができる。すなわち、被嵌合部５４と嵌合部７４との位置を適切に合わせ、被嵌合部５４と嵌合部７４とを適切に嵌合させることができる。
【００４６】
また、２つの壁パネル２１、２２を並べて設ける場合に、壁パネル２１の厚さと壁パネル２２の厚さとが異なっていたとしても、壁パネル２１の表面２１ａと壁パネル２２の表面２２ａとを略面一に合わせつつ、さらに壁パネル２１に設けられた取付部材６０の前面６２ａと、壁パネル２２に設けられた取付部材６０の前面６２ａと、を略面一に合わせることができる。従って、壁パネル２１の厚さと壁パネル２２の厚さとが異なる場合などにおいても、各取付部材６０の突出部６２に適切に接続部材７０を取り付けることができ、各壁パネル２１、２２と各天井パネル３１、３２とを適切に接続することができる。
【００４７】
以上、説明したように、本実施形態に係る浴室ユニット１０によれば、金属製のフレーム４４に取り付けられている取付部材６０に、接続部材７０を保持している。これにより、磁器又は陶器からなる表面パネル４０に割れなどを生じさせることなく、ネジなどの保持部材７２を用いて接続部材７０を強固に取付部材６０に保持することができる。また、保持部材７２を用いることにより、保持部材７２を取り付け忘れた際に、保持部材７２が余るため、作業ミスに気付かせ易くすることもできる。また、壁パネル２１の上端２１ｕよりも上方に突出した突出部６２に、接続部材７０を保持している。これにより、壁パネル２１を天井パネル３１の外周部５０近傍まで設ける必要がなくなる。例えば、壁パネル２１の上部に接続部材７０を直接取り付ける構成などと比べて、天井パネル３１によって見えなくなってしまう部分の壁パネル２１を削減するように、壁パネル２１の上下方向の長さを短くすることができる。これにより、壁パネル２１に磁器又は陶器からなる表面パネル４０を用いた場合にも、コストを抑えることができる。従って、磁器板や陶器板を壁パネル２１に用いた場合にも、コストの増加を抑えつつ、適切に壁パネル２１と天井パネル３１とを接続可能な浴室ユニット１０を提供することができる。
【００４８】
また、浴室ユニット１０では、取付部材６０が、壁パネル２１の表面２１ａに対して垂直な方向の位置を調整可能にフレーム４４の上部に取り付けられる。これにより、寸法誤差などによって壁パネル２１の厚さが変化した場合などにおいても、壁パネル２１と天井パネル３１との位置関係を維持したまま、取付部材６０の位置のみを調整することで、接続部材７０に設けられた嵌合部７４と天井パネル３１の外周部５０に設けられた被嵌合部５４とを嵌合させることができ、壁パネル２１と天井パネル３１とをより接続し易くすることができる。例えば、２枚の壁パネル２１、２２を並べて配置する場合などにおいても、取付部材６０の位置を調整することで、２枚の壁パネル２１、２２の表面２１ａ、２２ａと天井パネル３１、３２の外周部５０との位置を合わせ易くすることができる。従って、より適切に壁パネル２１、２２と天井パネル３１、３２とを接続することができる。また、取付部材６０の位置のみを調整すればよく、重い壁パネル２１、２２自体の位置を調整する必要がないため、施工作業性を向上させることもできる。
【００４９】
また、浴室ユニット１０では、接続部材７０が、天井パネル３１に接触して弾性変形することにより、天井パネル３１と壁パネル２１との間に空く隙間を塞ぐ軟質部７６、７７を有する。これにより、壁パネル２１と天井パネル３１との間の水密性をより向上させることができる。また、接続部材７０に軟質部７６、７７を設けることにより、軟質部７６、７７に劣化や破損などが生じた際に、接続部材７０のみを交換することで、水密性などを容易に回復することができる。
【００５０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５１】
１０ 浴室ユニット、  １２ 浴槽、  １４ 洗い場床、  ２１〜２５ 壁パネル、  ３１、３２ 天井パネル、  ４０ 表面パネル、  ４２ 基板、  ４４ フレーム、  ５０ 外周部、  ５２ 天面部、  ５４ 被嵌合部、  ６０ 取付部材、  ６２ 突出部、  ６４ 長孔、  ６６ ネジ、  ７０ 接続部材、  ７２ 保持部材、  ７４ 嵌合部、  ７６、７７ 軟質部
【図１】
2018162581.tif 000003
【図２】
2018162581.tif 000004
【図３】
2018162581.tif 000005
【図４】
2018162581.tif 000006
【図５】
2018162581.tif 000007
【図６】
2018162581.tif 000008
【図７】
2018162581.tif 000009